(57)【要約】【課題】互いに分割可能に接合した外装部材からなるカセッテに放射線検知パネルを収容したカセッテ型放射線画像撮影装置であって、外装部材の接合部の肉厚が小さいカセッテを有するカセッテ型放射線画像撮影装置を実現すること。【解決手段】被写体を透過した放射線を検知する放射線検知パネルをカセッテ内に収容した放射線画像撮影装置であって、前記カセッテは複数の外装部材から構成され、複数の前記外装部材は電気剥離性接着剤で互いに接合される接合面を有することを特徴とする放射線画像撮影装置。【選択図】図４
2009042350.tif 000002
【特許請求の範囲】
【請求項１】
被写体を透過した放射線を検知する放射線検知パネルをカセッテ内に収容した放射線画像撮影装置であって、
前記カセッテは複数の外装部材から構成され、
複数の前記外装部材は電気剥離性接着剤で互いに接合される接合面を有する
ことを特徴とする放射線画像撮影装置。
【請求項２】
前記複数の外装部材の中に、非導電性部材と導電性部材とが接合された外装部材が含まれていることを特徴とする請求項１に記載の放射線画像撮影装置。
【請求項３】
前記複数の外装部材の中に、接着剤で接合される接合面と電気剥離性接着剤で接合される接合面とを有する外装部材が含まれていることを特徴とする請求項１又は２に記載の放射線画像撮影装置。
【請求項４】
電気剥離性接着剤を介して相対している外装部材の接合面に電気的に接続され、
外部から印加される電力を受電する受電手段を有することを特徴とする請求項１〜３のいずれか１項に記載の放射線画像撮影装置。
【請求項５】
前記受電手段を外部から電気的に遮断する遮断部材を有することを特徴とする請求項１〜４のいずれか１項に記載の放射線画像撮影装置。
【発明の詳細な説明】
【技術分野】
【０００１】
本発明は、被写体を透過した放射線を検知して得たデジタル情報から放射線画像を得る放射線画像撮影装置に関する。
【背景技術】
【０００２】
Ｘ線画像に代表される放射線画像は、従来から病気診断、非破壊検査等に広く用いられているものである。
【０００３】
最近では、被写体を透過した放射線を、放射線検知パネルにより検知して、検知信号として得られたデジタル情報から放射線画像を得る放射線撮影システムも多用されている。
【０００４】
カセッテ型放射線画像撮影装置とは、この放射線検知パネル、及び、それに関わる回路基板等を一つの薄い箱形の収容器（カセッテ）に収めた可搬型の装置である。
【０００５】
このようなカセッテ型放射線画像撮影装置は、これを撮影室にある定置式の撮影装置に装填して行う通常の撮影以外に、撮影対象となる患者の状況に対応した場所で、且つ望ましい位置にカセッテ型放射線画像撮影装置を配置して行う撮影も可能となる。
【０００６】
このような撮影においては、カセッテ型放射線画像撮影装置を患者の下部に敷いたり、場合によっては患者をその上に立たせる場合もある。また、さらには、取扱中に床に落下させてしまうという不測の事態もある。
【０００７】
従って、カセッテ型放射線画像撮影装置のカセッテは、十分な強度を持つ外装部材から構成される必要がある。
【０００８】
また、カセッテは、定期的に行う内部の収容物の交換、あるいは故障時の点検修理に対応するために、必要に応じ分割して開くことができなければならない。
【０００９】
このような要求に対応するために、カセッテを構成する複数の外装部材を分解可能に接合するネジによる接合部が設けられる。
【００１０】
以上説明したよう要求を満足するために、決められているカセッテの外形寸法を維持しながら外装部材に十分な強度を持たせるための厚みを持たせることが必要になる。
【００１１】
その結果、外装部材と、内部に収容している放射線検知パネルをはじめ、その他電子部品との間に設けられる空間が狭められ、外部からの衝撃の吸収が困難となる。また、質量の増加から可搬性の低下を招くこともある。
【００１２】
カセッテの１面を構成する放射線検知パネルの前面に配置される外装部材は、被写体を透過して放射線検知パネルに到達する放射線を減衰させるものであってはならないことから、炭素繊維樹脂が使用されることが多い。
【００１３】
このような樹脂部品をネジで固定するためには、樹脂部品の破損を防止するためにネジを受容する部分には充分な厚みを持たせる必要がある。
【００１４】
耐衝撃性の向上に対しては、カセッテの内部の端部に緩衝剤を設けて耐衝撃性を改善する提案（例えば、特許文献１参照。）や、カセッテの内部に充填材を充填するという提案（例えば、特許文献２参照。）がなされている。
【００１５】
しかしながら、このような提案によるカセッテ型放射線画像撮影装置であっても、外装部材と内部に収容させている放射線検知パネルとそれに関わる電子部品との間に設けられる空間が充分でない場合には、望ましい耐衝撃性が得られなかったり、場合によっては、耐衝撃性の向上のために取った手段が、カセッテとして望まれる小型化、軽量化を妨げたり、あるいは、製造時の組み立て性、市場における保守性を低下させることもある。
【特許文献１】特開２００１−３４６７８８号公報
【特許文献２】特開２００４−１８４６７９号公報
【発明の開示】
【発明が解決しようとする課題】
【００１６】
本発明は、上述したような状況に鑑みてなされたもので、その目的は、互いに分割可能に接合した外装部材からなるカセッテに放射線検知パネルを収容したカセッテ型放射線画像撮影装置であって、外装部材の接合部の肉厚が小さいカセッテを有するカセッテ型放射線画像撮影装置を実現することにある。
【課題を解決するための手段】
【００１７】
上記課題は、以下の発明を実現することにより達成される。
１．被写体を透過した放射線を検知する放射線検知パネルをカセッテ内に収容した放射線画像撮影装置であって、
前記カセッテは複数の外装部材から構成され、
複数の前記外装部材は電気剥離性接着剤で互いに接合される接合面を有する
ことを特徴とする放射線画像撮影装置。
２．前記複数の外装部材の中に、非導電性部材と導電性部材とが接合された外装部材が含まれていることを特徴とする１項に記載の放射線画像撮影装置。
３．前記複数の外装部材の中に、接着剤で接合される接合面と電気剥離性接着剤で接合される接合面とを有する外装部材が含まれていることを特徴とする１又は２項に記載の放射線画像撮影装置。
４．電気剥離性接着剤を介して相対している外装部材の接合面に電気的に接続され、
外部から印加される電力を受電する受電手段を有することを特徴とする１〜３項のいずれか１項に記載の放射線画像撮影装置。
５．前記受電手段を外部から電気的に遮断する遮断部材を有することを特徴とする１〜４項のいずれか１項に記載の放射線画像撮影装置。
【発明の効果】
【００１８】
本発明により、ネジを使用せずに外装部材を互いに分割可能に接合したカセッテが実現される。
【００１９】
従って、外装部材の接合部の肉厚の増加が防止され、内部に収容させている放射線検知パネルとそれに関わる電子部品との間に設けられる空間が充分に確保される。
【００２０】
その結果、カセッテ型放射線撮影装置の保守性と信頼性が向上する。
【発明を実施するための最良の形態】
【００２１】
以下、本発明の実施の形態の例を、図を基にして説明する。
【００２２】
図１は、カセッテ型放射線画像撮影装置Ｄの外観図である。
【００２３】
図に示すように、本例のカセッテＫは２つの外装部材、即ち、上部外装部材５，下部外装部材６からなる。
【００２４】
上部外装部材５の一角には、表示装置Ｈと操作ボタンＢが設けられ、また、一つの側面には、電力供給を受けるための、及び外部装置との情報交換を行うための主コネクタＭＣが設けられている。
【００２５】
図２は、カセッテ型放射線画像撮影装置Ｄの内部の構成を説明する概念図である。
【００２６】
カセッテＫの内部には、放射線検知パネル１、パネル支持板２、制御基板３、接続ケーブル４が収容されている。
【００２７】
前記放射線検知パネル１は、蛍光体１１、光電変換部１２から構成される。
【００２８】
蛍光体１１は、図の矢印ａの方向から入射した放射線を受けて、受けた放射線の強さに応じた光を発するもので、樹脂板に蛍光体が塗布されたものである。
【００２９】
光電変換部１２は、光電変換素子をガラス板上に格子状に配列したもので、前記蛍光体１１の発光光を受光して電気信号に変換する。
【００３０】
光電変換部１２から出力された電気信号は、フレキシブル回路基板である接続ケーブル４を介して、制御基板３に送られ、制御基板３は、光電変換部１２から送られた電気信号を基に、撮影画像情報を生成する。
【００３１】
パネル支持板２は、前記放射線検知パネル１、前記制御基板３を支持するもので、前記放射線検知パネル１の平面性を維持するために必要な平面性と剛性を有している。
【００３２】
カセッテＫは、上述したようにパネル支持板２に支持された放射線検知パネル１及び制御基板３を収容するものである。
【００３３】
カセッテＫの上部外装部材５は、図の矢印ａの方向から進行してくる放射線が前記放射線検知パネル１に到達する際の遮蔽物となってはならない。
【００３４】
そのため、放射線の透過性が高く且つ強度に優れる材料、例えば、カーボン繊維入りの樹脂が採用される。
【００３５】
もう一つの外装部材である下部外装部材６は、支持部材２１、２２、２３を介して前記放射線検知パネル１を支持しており、強度確保と軽量化の点から上部外装部材５と同じくカーボン繊維入りの樹脂が採用される。
【００３６】
しかしながら、放射線の透過性が高いことは要求されないことから、アルミニウム合金等の軽合金を使用してもよい。
【００３７】
カセッテＫを構成する前記上部外装部材５と下部外装部材６とは、外から与えられた衝撃に対して、収容物を保護できなければならないし、また容易に分離してはならない。
【００３８】
ところが、定期的な保守作業、又は予期せぬ故障に対応する修理作業のためには、容易に分離することができるようにして、内部に収めた収容物を取り出せるようにしなければならないという要件も満たさなければならない。
【００３９】
このような要件に対応するために、一般に、外装を構成する外装部材は互いにネジにて接合される場合が多い。
【００４０】
図３は、ネジにて接合された外装部材の接合部の例である。
【００４１】
図３（ａ）は、上部外装部材５と下部外装部材６を上下方向に接合した形態であり、図３（ｂ）は、上部外装部材５と下部外装部材６をカセッテＫの側面方向で接合した形態である。
【００４２】
接合に使用されるネジはＪＩＳ規格Ｍ２乃至Ｍ３程度のネジを使用するが、繰り返し行われるネジ９１の取り外しに耐えられるように、またネジ９１に加えられる衝撃に耐えられるように、外装部材のネジ止め位置Ａには、充分な肉厚Ｗを持たせる必要がある。
【００４３】
特に、樹脂製の外装部材にネジ溝が切られる場合には、外装部材の取り外しに際しネジ山が破損しないようにより太めのネジを使用することが望ましいことから、ネジ止め位置Ａの肉厚Ｗはより大きなものとなる。
【００４４】
ところが、放射線検知パネル１の面寸法、及びカセッテＫの外形寸法は、撮影画像サイズ及びカセッテを装填する装置との関係により、予め所定の寸法に決められてので、ネジ止め位置の肉厚を増加させることは、カセッテの外装部材と放射線検知パネル１をはじめとする収容物との間隙を狭めてしてしまうことになる。
【００４５】
この間隙の減少は、カセッテＫに加えられた衝撃が放射線検知パネル１に伝わらないようにする衝撃吸収を困難にする。
【００４６】
このような問題に対応するために、ネジを使用せずに上部外装部材５と下部外装部材６を嵌め合いにより接合することもあるが、望ましい信頼性が得られないことが多い。
【００４７】
本発明は、電気剥離性接着剤により上部外装部材５と下部外装部材６とを接合することによって、接合部の高い信頼性を保持しながら、必要に応じ容易に分離できるカセッテＫを実現するものである。
【００４８】
図４は、複数の外装部材を電気剥離性接着剤で接合して作られたカセッテの接合面を説明する図である。
【００４９】
図４（ａ）、（ｂ）は、上部外装部材５の面Ｓ１にて接合された導電性の接合部材５１と、下部外装部材６の面Ｓ２にて接合された導電性の接合部材６１とが、面Ｓ３にて電気剥離性接着剤によって接合されている様子を示している。
【００５０】
なお、面Ｓ１、面Ｓ２における接合部材と外装部材との接合は、機械的な接合又は接着剤による接合で分離できない接合である。
【００５１】
また、本実施の形態において上部外装部材５及び下部外装部材６は、ともに非導電性部材であるが、下部外装部材６をアルミニウム合金等の導電性部材とし、接合部材６１を下部外装部材６に接合する代わりに、同様の形状の部位を下部外装部材６自身に設けても良い。
【００５２】
上部外装部材５と下部外装部材６の接合は、上部外装部材５に予め接合された接合部材５１の面Ｓ３及び下部外装部材６に予め接合された接合部材６１の面Ｓ３に電気剥離性接着剤を塗布した後、接合部材５１と接合部材６１を接合するのが一般的である。
【００５３】
しかしながら、電気剥離性接着剤が硬化して十分な接着強度を発揮するまでに時間がかかる場合、上部外装部材５と下部外装部材６を治具等で長時間固定する必要が生じてしまう。
【００５４】
そこで本実施の形態では、予め面Ｓ３で電気剥離性接着剤で接合された接合部材５１と接合部材６１を用意しておき、接合部材５１の面Ｓ１と上部外装部材５ならびに接合部材６１の面Ｓ２と下部外装部材６を、それぞれ瞬間接着剤等で接合する。
【００５５】
このようにすることによって、電気剥離性接着剤の硬化速度の制限を受けることなく、カセッテ型放射線撮影装置の生産性を高め、接合の信頼性を向上させることができる。
【００５６】
図５は、電気剥離性接着剤による接合と分離を説明する図である。
【００５７】
接合部材５１と接合部材６１は、共に導電性の部材であり、接合面Ｓ３にて図中斜線部で示す電気剥離性接着剤によって接合されている。
【００５８】
図５（ａ）に示した接合状態にある接合部材５１と接合部材６１の間に、点線で示すような電圧を印加すると、二つの接合部材は、図５（ｂ）に示すように電気剥離性接着剤の＋側の面で分離する。
【００５９】
なお、上述の電気剥離性接着剤は、市販されている公知の電気剥離性接着剤（例えば、商品名エレクトリリース、太陽金網株式会社）を使用することができる。また、印加する電圧、印加時間は実験により決定される。
【００６０】
以上、図４及び図５から明らかなように、電気剥離性接着剤による上部外装部材５に接合された導電性の接合部材５１と、下部外装部材６に接合された導電性の接合部材６１との接合は、ネジによる接合に比較して外装部材の肉厚を少なくすることができる。
【００６１】
また、互いに接合されている接合部材５１と接合部材６１とを必要に応じて分離することができる。その結果、上部外装部材５と下部外装部材６とを分離することができる。
【００６２】
図６は、上部外装部材５に接合された導電性の接合部材５１と、下部外装部材６に接合された導電性の接合部材６１との間に外部から電圧を印加するための受電手段の受電部を示す図である。
【００６３】
受電手段は、電源供給用のプラグを受容する受電用のコンセントＲと、コンセントから上部外装部材５に接合された導電性の接合部材５１と、下部外装部材６に接合された導電性の接合部材６１に電気を導く導線（不図示）とから構成される。
【００６４】
受電用のコンセントＲの前面には、上部外装部材５又は下部外装部材６の面に沿って、受電用のコンセントＲを外界から電気的に遮断する遮断部材Ｓが設けられている。
【００６５】
前記遮断部材Ｓは、受電手段が使用されない時に前記受電用のコンセントＲに挿入可能なもので公知の技術からなる。
【００６６】
この遮断部材Ｓにより、コンセントへの誤った電圧の印加が防止され、上部外装部材と下部外装部材の予期せぬ分離が防止される。
【００６７】
以上説明したように、ネジを使用せずに外装部材を互いに分割可能に接合したカセッテが実現される。
【００６８】
従って、外装部材の接合部の肉厚の増加が防止され、内部に収容させている放射線検知パネルとそれに関わる電子部品との間に設けられる空間が充分に確保され、信頼性が向上する。
【００６９】
さらに、カセッテを構成している外装部材を必要に応じ分離することができるので、カセッテ型放射線撮影装置の保守性の低下が防止される。
【図面の簡単な説明】
【００７０】
【図１】カセッテ型放射線画像撮影装置の外観図であり。
【図２】カセッテ型放射線画像撮影装置の内部の構成を説明する概念図である。
【図３】ネジにて接合された外装部材の接合部の例である。
【図４】複数の外装部材を電気剥離性接着剤で接合して作られたカセッテの接合面を説明する図である。
【図５】電気剥離性接着剤による接合と分離を説明する図である。
【図６】受電手段の受電部を示す図である。
【符号の説明】
【００７１】
１  放射線検知パネル
２  パネル支持板
３  制御基板
４  接続ケーブル
５  上部外装部材
６  下部外装部材
Ｄ  カセッテ型放射線画像撮影装置
Ｋ  カセッテ
Ｓ  遮断部材
【図１】
2009042350.tif 000003
【図２】
2009042350.tif 000004
【図３】
2009042350.tif 000005
【図４】
2009042350.tif 000006
【図５】
2009042350.tif 000007
【図６】
2009042350.tif 000008